(57)【特許請求の範囲】
【請求項１】
地盤面上に敷設された防水シート上に、下部保持具としてのベースプレートと、高さレベル調整手段と、上部保持具からなり、インバートコンクリート内に埋設される補強鉄筋用の保持具を所定間隔をあけて複数個並設し、その後、該高さレベル調整手段により、該保持具の高さレベルを調整して前記補強鉄筋を載置することを特徴とするインバートコンクリートの補強鉄筋保持方法。
【請求項２】
前記インバートコンクリートの打設前に、前記各保持具の周囲に固定用コンクリートを打設して前記各保持具を固定することを特徴とする請求項１記載のインバートコンクリートの補強鉄筋保持方法。
【請求項３】
地盤面上に敷設された防水シート上に、それぞれ所定間隔をあけて複数個の固定用コンクリートを打設し、該各固定用コンクリートの半硬化時に、該各固定用コンクリート内に、インバートコンクリート内に埋設される補強鉄筋保持用の高さ一定の保持具を、該保持具の高さレベルを調整しながら埋め込み、前記固定用コンクリートの硬化後、前記保持具上に前記補強鉄筋を載置することを特徴とするインバートコンクリートの補強鉄筋保持方法。
【請求項４】
地盤面上に敷設された防水シート上に、高さレベルを調整しながら、複数個の固定用コンクリートを所定間隔をあけて打設し、該各固定用コンクリートの硬化後、該各固定用コンクリート上に、インバートコンクリート内に埋設される補強鉄筋用の保持具をそれぞれ載置して、該保持具上に前記補強鉄筋を載置することを特徴とするインバートコンクリートの補強鉄筋保持方法。
【請求項５】
地盤面上に敷設された防水シート上に、それぞれ所定間隔をあけて複数個の固定用コンクリートを打設し、該各固定用コンクリートの半硬化時に、該各固定用コンクリート内に、インバートコンクリート内に埋設される補強鉄筋用の保持ブロックを、それぞれ高さレベルを調整しながら埋め込み、前記固定用コンクリートの硬化後、前記保持ブロック上に前記補強鉄筋を載置することを特徴とするインバートコンクリートの補強鉄筋保持方法。
【請求項６】
地盤面上に敷設された防水シート上に、高さレベルを調整しながら、複数個の固定用コンクリートを所定間隔をあけて打設し、該各固定用コンクリートの硬化後、該各固定用コンクリート上に、インバートコンクリート内に埋設される補強鉄筋用の保持ブロックを載置して、該保持ブロック上に前記補強鉄筋を載置することを特徴とするインバートコンクリートの補強鉄筋保持方法。
【請求項７】
地盤面上に敷設された防水シート上に、高さレベルを調整しながら、複数個の固定用コンクリートを所定間隔をあけて打設し、該各固定用コンクリートの硬化後、該各固定用コンクリート上に、インバートコンクリート内に埋設される補強鉄筋を載置することを特徴とするインバートコンクリートの補強鉄筋保持方法。
【発明の詳細な説明】
【０００１】
【発明の属する技術分野】
本発明は、インバートコンクリートの補強鉄筋保持方法に係り、更に詳しくは、土中を掘削して設けられるトンネル、道路、水路、共同坑などの地盤面上に打設されるインバートコンクリートの補強鉄筋保持方法に関する。
【０００２】
【従来の技術】
例えば山腹を掘削してトンネルを設ける際には、掘削した地盤面上に補強鉄筋により補強された、例えば厚さ６００ｍｍ程度のインバートコンクリートを打設して、トンネルの車両走行路面の基礎を造っている。
インバートコンクリート内に補強鉄筋を保持する方法として、従来、２つの施工方法が知られている。
第１の従来施工方法は、ドリルを用いて、地盤面の全域に例えば縦横１．５ｍ間隔で深い穴を堀り、各穴に縦筋を差し込んだ後、各縦筋に地盤面を基準とした一定の高さで段取り筋を溶接し、その後、各縦筋の段取り筋溶接部より上部をガスカットするものであり、また第２の従来施工方法は、地盤面上に所定間隔をあけて保持ブロックを並べ置き、これらの保持ブロック上に段取り筋を載置し、それから地盤面に対して平行に大型の金属メッシュを置いたり、鉄筋を手組みしたりするものである。
【０００３】
【発明が解決しようとする課題】
しかしながら、前者の従来施工方法では、ドリルを用いて地盤面の全域にわたって深い縦筋の差し込み穴を掘ったり、各縦筋に横長の段取り筋を高さレベルを合わせて溶接したり、両筋の溶接後、縦筋の上方へ突出した不要部分をガスカットしたりしなければならず、作業が面倒で手間がかかるという問題点があった。
また、トンネルの掘削後、地盤面上に防水シートを敷設した場合、縦筋を地盤面上に突き立てる際に、ドリルなどにより防水シートに穴を開けてしまい、施工後に防水シートの補修作業が必要で、仮に良好に補修できたとしても、補修箇所の経時的な劣化は免れず、一定期間毎に補修しなければならないという問題点があった。
【０００４】
さらに、後者の従来施工方法では、バックホウなどにより掘削形成される凹凸がある地盤面上に、直接、保持ブロックを並べるので、段取り筋や大型の金属メッシュを地盤面近くで保持できるように、各保持ブロックの上面の高さレベルを揃える作業が難しいという問題点があった。
しかも、後者の従来施工方法では、通常の保持ブロックが、断面四角形の小型ブロックであるので安定性に乏しく、しかも上面が平滑であるので、段取り筋をこの上に固定するのが難しく、インバートコンクリートの打設時などの各種作業時において、保持ブロックや段取り筋に位置ずれが生じてしまい、これにより補強鉄筋によるインバートコンクリートの設計通りの補強ができず、インバートコンクリート全体の強度が低下してその耐用年数が短縮され、これに伴う莫大な補修費の増加を招くという問題点があった。
また、地盤面に防水シートを使用した場合、前者の従来施工方法では防水シートの重しになるものが何もなく、また後者の方法でも小型の保持ブロックだけであるので、その後の各種作業時に、防水シートに捲くれや浮きが生じるという問題点があった。
本発明はこのような事情に鑑みてなされたもので、作業性の向上と、地盤面掘削形成時の地均しの不要と、補強鉄筋の一定高さレベルでの安定保持の容易性とが同時に図れ、防水シートにドリル穴の損傷がないと共に、インバートコンクリートの打設時などの各種作業時における防水シートの捲くれや浮きを防止できるインバートコンクリートの補強鉄筋保持方法を提供することを目的とする。
【０００５】
【課題を解決するための手段】
前記目的に沿う請求項１記載のインバートコンクリートの補強鉄筋保持方法は、地盤面上に敷設された防水シート上に、下部保持具としてのベースプレートと、高さレベル調整手段と、上部保持具からなり、インバートコンクリート内に埋設される補強鉄筋用の保持具を所定間隔をあけて複数個並設し、その後、該高さレベル調整手段により、該保持具の高さレベルを調整して前記補強鉄筋を載置するようにした。
ここでいう補強鉄筋とは、現場で地盤面上に溶接される段取り筋などを含む鉄筋組や、大型の金属メッシュなどである。
また、請求項２記載のインバートコンクリートの補強鉄筋保持方法は、請求項１記載のインバートコンクリートの補強鉄筋保持方法において、前記インバートコンクリートの打設前に、前記各保持具の周囲に固定用コンクリートを打設して前記各保持具を固定するようにした。
なお、ここでいうインバートコンクリートの打設前とは、補強鉄筋の配置前も含む。
さらに、請求項３記載のインバートコンクリートの補強鉄筋保持方法は、地盤面上に敷設された防水シート上に、それぞれ所定間隔をあけて複数個の固定用コンクリートを打設し、該各固定用コンクリートの半硬化時に、該各固定用コンクリート内に、インバートコンクリート内に埋設される補強鉄筋保持用の高さ一定の保持具を、該保持具の高さレベルを調整しながら埋め込み、前記固定用コンクリートの硬化後、前記保持具上に前記補強鉄筋を載置するようにした。
【０００６】
そして、請求項４記載のインバートコンクリートの補強鉄筋保持方法は、地盤面上に敷設された防水シート上に、高さレベルを調整しながら、複数個の固定用コンクリートを所定間隔をあけて打設し、該各固定用コンクリートの硬化後、該各固定用コンクリート上に、インバートコンクリート内に埋設される補強鉄筋用の保持具をそれぞれ載置して、該保持具上に前記補強鉄筋を載置するようにした。
次いで、請求項５記載のインバートコンクリートの補強鉄筋保持方法は、地盤面上に敷設された防水シート上に、それぞれ所定間隔をあけて複数個の固定用コンクリートを打設し、該各固定用コンクリートの半硬化時に、該各固定用コンクリート内に、インバートコンクリート内に埋設される補強鉄筋用の保持ブロックを、それぞれ高さレベルを調整しながら埋め込み、前記固定用コンクリートの硬化後、前記保持ブロック上に前記補強鉄筋を載置するようにした。
また、請求項６記載のインバートコンクリートの補強鉄筋保持方法は、地盤面上に敷設された防水シート上に、高さレベルを調整しながら、複数個の固定用コンクリートを所定間隔をあけて打設し、該各固定用コンクリートの硬化後、該各固定用コンクリート上に、インバートコンクリート内に埋設される補強鉄筋用の保持ブロックを載置して、該保持ブロック上に前記補強鉄筋を載置するようにした。
それから、請求項７記載のインバートコンクリートの補強鉄筋保持方法は、地盤面上に敷設された防水シート上に、高さレベルを調整しながら、複数個の固定用コンクリートを所定間隔をあけて打設し、該各固定用コンクリートの硬化後、該各固定用コンクリート上に、インバートコンクリート内に埋設される補強鉄筋を載置するようにした。
【０００７】
【作用】
請求項１、２記載のインバートコンクリートの補強鉄筋保持方法においては、まず地盤面上に敷設された防水シート上に、所定間隔をあけて保持具を並設するが、その際、保持具の下部のベースプレートが、凹凸のある地盤面や防水シートに当接するので、地盤面を細やかに地均ししなくても、保持具が例えば軟弱な地盤面側に埋没したり、凹凸面で転倒したりし難くなる。
その後、高さレベル調整手段により、高さレベルを調整して補強鉄筋を配置するので、補強鉄筋を一定高さレベルで簡単に安定保持でき、補強鉄筋保持の作業性の向上が図れる。
また、防水シートに縦筋用の穴を開ける必要がなく、施工後、その穴を塞ぐための補修作業が不要になる。
特に、請求項２記載のインバートコンクリートの補強鉄筋保持方法においては、インバートコンクリートの打設前に、各保持具の周囲に固定用コンクリートを打設して各保持具を固定するので、凹凸のある地盤面上の防水シート上に保持具をセットした際の保持具の移動や転倒がさらに防止できる。しかも、打設された固定用コンクリートが重しになるので、その後に、インバートコンクリートの打設時などの各種作業時の防水シートの浮きや捲くれなどを防止できる。
【０００８】
請求項３記載のインバートコンクリートの補強鉄筋保持方法においては、地盤面上に敷設された防水シート上に、所定間隔をあけて複数個の固定用コンクリートを打設してから、各固定用コンクリートに高さ一定の保持具を埋め込むので、保持具が地盤面側に直接当接せず、仮に地盤面が軟弱でも補強鉄筋の安定した保持ができる。なお、保持具の高さレベル調整は、固定用コンクリートの半硬化時に、コンクリートの軟度を利用して行なうので、保持具の高さ調整を行なう特別な器具が不要で、コスト低下が図れる。
請求項４記載のインバートコンクリートの補強鉄筋保持方法においては、コンクリートの使用量などを加減して高さレベルを調整しながら、固定用コンクリートを打設し、それが硬化した後、各固定用コンクリート上に保持具を載置して補強鉄筋を配置する。
請求項５記載のインバートコンクリートの補強鉄筋保持方法においては、固定用コンクリートを打設してから、各固定用コンクリート内に保持ブロックを埋め込み、さらに補強鉄筋を配置する。なお、保持ブロックの高さレベル調整は、固定用コンクリートの半硬化時に、コンクリートの軟度を利用して行なうので、保持ブロックの高さ調整を行なう特別な器具が不要になり、コスト低下が図れる。
請求項６記載のインバートコンクリートの補強鉄筋保持方法においては、コンクリートの使用量などを加減して高さレベルを調整しながら、固定用コンクリートを打設し、それが硬化した後、各固定用コンクリート上に保持ブロックを載置して補強鉄筋を配置する。
請求項７記載のインバートコンクリートの補強鉄筋保持方法においては、コンクリートの使用量などを加減して高さレベルを調整しながら、固定用コンクリートを打設し、固定用コンクリートの硬化後に補強鉄筋を配置する。
【０００９】
【発明の効果】
請求項１、２記載のインバートコンクリートの補強鉄筋保持方法においては、このように補強鉄筋の保持具の下部にベースプレートを設けたので、地盤面を細やかに地均ししなくても、セットされた保持具が例えば軟弱な地盤面側に埋没したり、凹凸面で転倒したりし難くなる。
また、高さレベル調整手段により高さレベルを調整して、補強鉄筋を配置するようにしたので、補強鉄筋を一定高さレベルで簡単に安定保持でき、補強鉄筋保持の作業性の向上が図れる。
本手段は、これらの作業性の向上と、地盤面掘削形成時の地均しの不要と、補強鉄筋の一定高さレベルでの安定保持の容易性とが同時に図れる。
そして、従来方法のようにドリルで防水シートに縦筋用の穴をあける必要がないので、施工後、その穴を塞ぐための補修作業が不要になる。
特に、請求項２記載のインバートコンクリートの補強鉄筋保持方法においては、インバートコンクリートの打設前に保持具の周囲に固定用コンクリートを打設するようにしたので、凹凸のある地盤面上の防水シート上に保持具をセットした際の保持具の移動や転倒をさらに防止できると共に、打設された固定用コンクリートが重しになって、その後、インバートコンクリートの打設時などの各種作業時における防水シートの浮きや捲くれなどを防止できる。
【００１０】
また、請求項３記載のインバートコンクリートの補強鉄筋保持方法においては、固定用コンクリートを打設後、固定用コンクリートの半硬化時に、その上に高さ一定の保持具を埋め込むようにしたので、地盤面を細やかに地均ししなくても、セットされた保持具が例えば軟弱な地盤面側に埋没したり、凹凸面で転倒したりし難くなると共に、高さレベル調整用の特別な器具がなくても、補強鉄筋を一定高さレベルで簡単に安定保持でき、補強鉄筋保持の作業性の向上やコスト低下が図れる。
本手段は、これらの作業性の向上と、地盤面掘削形成時の地均しの不要と、補強鉄筋の一定高さレベルでの安定保持の容易性と、コスト低下とが同時に図れる。
また、防水シートに開孔する必要がないと共に、インバートコンクリートの打設時などの各種作業時における防水シートの捲くれや浮きを防止できる。
さらに、請求項４記載のインバートコンクリートの補強鉄筋保持方法においては、高さレベルを調整しながら固定用コンクリートを打設し、それが硬化した後、保持具を載置して補強鉄筋を配置するようにしたので、作業性の向上と、地盤面掘削形成時の地均しの不要と、補強鉄筋の一定高さレベルでの安定保持の容易性とが同時に図れ、防水シートに開孔する必要がないと共に、インバートコンクリートの打設時などの各種作業時における防水シートの捲くれや浮きを防止できる。
そして、請求項５記載のインバートコンクリートの補強鉄筋保持方法においては、半硬化状態の固定用コンクリート内に保持ブロックを埋め込んでその高さレベルを調整した後、固定用コンクリートが硬化してから補強鉄筋を配置するようにしたので、更なる作業性の向上と、地盤面掘削形成時の地均しの不要と、補強鉄筋の一定高さレベルでの安定保持の容易性と、コスト低下とが同時に図れ、防水シートに開孔する必要がないと共に、インバートコンクリートの打設時などの各種作業時における防水シートの捲くれや浮きを防止できる。
【００１１】
また、請求項６記載のインバートコンクリートの補強鉄筋保持方法においては、固定用コンクリートの高さレベルを調整しながら打設し、それが硬化した後、各固定用コンクリート上に保持ブロックを載置して補強鉄筋を配置するようにしたので、作業性の向上と、地盤面掘削形成時の地均しの不要と、補強鉄筋の一定高さレベルでの安定保持の容易性とが同時に図れ、防水シートに開孔する必要がないと共に、インバートコンクリートの打設時などの各種作業時における防水シートの捲くれや浮きを防止できる。
さらに、請求項７記載のインバートコンクリートの補強鉄筋保持方法においては、コンクリートの使用量などを加減して高さレベルを調整しながら、固定用コンクリートを打設して、その硬化後に補強鉄筋を配置するようにしたので、より以上の作業性の向上と、地盤面掘削形成時の地均しの不要と、補強鉄筋の一定高さレベルでの安定保持の更なる容易性とが同時に図れ、防水シートに開孔する必要がないと共に、インバートコンクリートの打設時などの各種作業時における防水シートの捲くれや浮きを防止できる。
【００１２】
【発明の実施の形態】
続いて、添付した図面を参照しつつ、本発明を具体化した実施の形態につき説明し、本発明の理解に供する。なお、本実施の形態は、トンネルのインバートコンクリートに適用されたインバートコンクリートの補強鉄筋保持方法を例にとる。
ここに、図１は本発明の第１の実施の形態に係るインバートコンクリートの補強鉄筋保持方法を適用したインバートコンクリートの補強鉄筋保持構造を示す要部拡大断面図、図２は同インバートコンクリートの補強鉄筋保持構造の全体断面図、図３は同保持具の拡大斜視図、図４は本発明の第２の実施の形態に係るインバートコンクリートの補強鉄筋保持方法を適用したインバートコンクリートの補強鉄筋保持構造を示す要部拡大断面図、図５は本発明の第３の実施の形態に係るインバートコンクリートの補強鉄筋保持方法を適用したインバートコンクリートの補強鉄筋保持構造を示す要部拡大断面図、図６は本発明の第４の実施の形態に係るインバートコンクリートの補強鉄筋保持方法を適用したインバートコンクリートの補強鉄筋保持構造を示す要部拡大断面図、図７は本発明の第５の実施の形態に係るインバートコンクリートの補強鉄筋保持方法を適用したインバートコンクリートの補強鉄筋保持構造を示す要部拡大断面図、図８は本発明の第６の実施の形態に係るインバートコンクリートの補強鉄筋保持方法を適用したインバートコンクリートの補強鉄筋保持構造を示す要部拡大断面図、図９は本発明の第７の実施の形態に係るインバートコンクリートの補強鉄筋保持方法を適用したインバートコンクリートの補強鉄筋保持構造を示す要部拡大断面図である。
【００１３】
まず、図１〜３に基づいて、本発明の第１の実施の形態に係るインバートコンクリートの補強鉄筋保持方法を説明する。
図１、２に示すように、本発明の第１の実施の形態に係るインバートコンクリートの補強鉄筋保持方法が適用されたインバートコンクリートの補強鉄筋保持構造１０は、トンネル１１の地盤面１１ａの表面に敷設された防水シート１２上に、複数個の保持具１３が所定間隔毎に一列に並設され、並んだ各保持具１３上に、段取り筋などを含む鉄筋組である補強鉄筋１４が配置されたものである。なお、補強鉄筋１４は、鉄筋組の他にも大型の金属メッシュなどを採用してもよい。インバートコンクリート１５は、これらの補強鉄筋保持構造１０を埋没させるように打設される（図１参照）。次に図３を参照して、保持具１３を詳細に説明する。
【００１４】
図３に示すように、保持具１３は、高さレベル調整手段２０が設けられた下部保持具２１と、高さレベル調整手段２０上に載置される上部保持具２２とを有している。
下部保持具２１は、防水シート１２上に下面が接地される比較的面積の大きな矩形のベースプレート１６を有しており、この中央部上に、ナット１７が螺合されたボルト１８が立設され、ナット１７の周側面の対向部にハンドル棒１９の元部が固着されて設けられた高さレベル調整手段２０が取り付けられている。
上部保持具２２は３本の鉄筋２２ａを平行に三角配置した横長のトラス構造物であり、補強用の補助筋２２ｂを有する。補強鉄筋１４は、三角形の頂上部の鉄筋２２ａ上に、上部保持具２２の長さ方向に直交するように載置される。なお、上部保持具２２は、例えば単に下部保持具２１間に横架される１本又は複数本の鉄筋でもよい。
【００１５】
続いて、本発明の第１の実施の形態に係るインバートコンクリートの補強鉄筋保持方法を説明する。
図３に示すように、まず凹凸のある地盤面１１ａの表面に馴染んで敷設された防水シート１２上に、所定間隔をあけて下部保持具２１を並設する。その際、下部保持具２１の比較的面積の大きなベースプレート１６が、防水シート１２の凹凸に跨がって載置されるので、地盤面１１ａを細やかに地均ししなくても、例えば地盤面１１ａが軟弱でも保持具１３が埋没したり、その凹凸面で転倒したりし難くなる。
【００１６】
その後、各下部保持具２１において、高さレベル調整手段２０のハンドル棒１９を回転させて、上部保持具２２の載置高さを調整しながら、各下部保持具２１のハンドル棒１９上に、一連に上部保持具２２を載置させ、さらに各上部保持具２２間に補強鉄筋１４を配置するので（図１、２も参照）、補強鉄筋１４を一定高さレベルで簡単に安定保持でき、補強鉄筋１４の保持作業の作業性を向上できる。
このように、第１の実施の形態では、作業性の向上と、地盤面１１ａの掘削形成時の地均しの不要と、補強鉄筋１４の一定高さレベルでの安定保持の容易性とを同時に図ることができる。
また、従来手段では、補強鉄筋１４を保持するために、防水シート１２に縦筋用の穴をあけていたが、この第１の実施の形態では、防水シート１２上に、直接、保持具１３を載置するだけであるので、その必要がなく、施工後、その穴を塞ぐための補修作業が不要になる。
【００１７】
次に、図４に基づいて、本発明の第２の実施の形態に係るインバートコンクリートの補強鉄筋保持方法を説明する。
図４に示すように、第２の実施の形態に係るインバートコンクリートの補強鉄筋保持方法は、インバートコンクリート１５の打設前（補強鉄筋１４の配置前）に、各保持具１３の周囲に、下部保持具２１と上部保持具２２の下側とを表面下に埋設するように、固定用コンクリート３０を打設して各保持具１３を固定するようにした例である。
インバートコンクリート１５の打設前に、固定用コンクリート３０を打設して各保持具１３を固定するので、凹凸のある防水シート１２上に保持具１３をセットした際の保持具１３の移動や転倒をさらに防止できる。
しかも、防水シート１２を使用する場合には、打設された固定用コンクリート３０が重しになるので、その後、インバートコンクリート１５の打設時などの各種作業時における防水シート１２の浮きや捲くれなどを防止できる。
【００１８】
次に、図５に基づいて、本発明の第３の実施の形態に係るインバートコンクリートの補強鉄筋保持方法を説明する。
図５に示すように、第３の実施の形態に係るインバートコンクリートの補強鉄筋保持方法は、防水シート１２上に、コンクリートの使用量などを加減して高さレベルを調整しながら、複数個の固定用コンクリート３１を所定間隔をあけて打設し、各固定用コンクリート３１の半硬化時に、各固定用コンクリート３１内に、保持具１３の上部保持具２２だけをそれぞれ埋め込んで、固定用コンクリート３１の硬化後、補強鉄筋１４を配置するようにした例である。
防水シート１２上に、固定用コンクリート３１を打設してから、各固定用コンクリート３１に高さ一定の上部保持具２２を埋め込むので、上部保持具２２が防水シート１２に直接当接せず、仮に地盤面１１ａが軟弱でも第１、２の実施の形態において使用されたベースプレート１６は設置する必要がない。
また、上部保持具２２だけを用いて下部保持具２１を省略したので、保持具のコスト低下が図れる。なお、上部保持具２２の高さレベル調整は、固定用コンクリート３１の半硬化時に、コンクリートの軟度を利用して行うので、下部保持具２１という、上部保持具２２の高さ調整を行なう特別な器具が不要となり、コスト低下が図れる。
【００１９】
次に、図６に基づいて、本発明の第４の実施の形態に係るインバートコンクリートの補強鉄筋保持方法を説明する。
図６に示すように、第４の実施の形態に係るインバートコンクリートの補強鉄筋保持方法は、防水シート１２上に、コンクリートの使用量などを加減して高さレベルを調整しながら、複数個の固定用コンクリート３１を所定間隔をあけて打設し、各固定用コンクリート３１の硬化後、各固定用コンクリート３１上に上部保持具２２を載置して、補強鉄筋１４を配置するようにした例である。なお、上部保持具２２は、固定用コンクリート３１上に鉄筋固定金具や釘により固着してもよい。
これにより、第３の実施の形態のインバートコンクリートの補強鉄筋保持方法における、固定用コンクリート３１の半硬化中に、作業者の感に頼って、上部保持具２２の高さレベルの調整を行なうという困難さが解消できる。
【００２０】
次に、図７に基づいて、本発明の第５の実施の形態に係るインバートコンクリートの補強鉄筋保持方法を説明する。
図７に示すように、第５の実施の形態に係るインバートコンクリートの補強鉄筋保持方法は、防水シート１２上に、それぞれ所定間隔をあけて複数個の固定用コンクリート３１を打設し、各固定用コンクリート３１の半硬化時に、各固定用コンクリート３１内に、補強鉄筋１４を載置するための保持ブロック３４を、それぞれ高さレベルを調整しながら埋め込み、固定用コンクリート３１の硬化後、保持ブロック３４に補強鉄筋１４を配置するようにした例である。
このように、トラスト構造の保持具１３に代えて、保持ブロック３４を採用したことにより、保持具の強度が向上し、また材質によっては、トラスト構造のものに比べてコスト低下が図れる。
【００２１】
次に、図８に基づいて、本発明の第６の実施の形態に係るインバートコンクリートの補強鉄筋保持方法を説明する。
図８に示すように、第６の実施の形態に係るインバートコンクリートの補強鉄筋保持方法は、防水シート１２上に、高さレベルを調整しながら、複数個の各固定用コンクリート３１を所定間隔をあけて打設し、各固定用コンクリート３１の硬化後、各固定用コンクリート３１上に、インバートコンクリート１５内に埋設される補強鉄筋１４用の保持ブロック３４を載置して、補強鉄筋１４を配置するようにした例である。なお、第４の実施の形態と同様に、保持ブロック３４は、固定用コンクリート３１上に鉄筋固定金具や釘により固着してもよい。
これにより、第５の実施の形態のインバートコンクリートの補強鉄筋保持方法における、固定用コンクリート３１の半硬化中に、作業者の感に頼って、保持ブロック３４の高さレベルの調整を行なうという困難さが解消できる。
【００２２】
次に、図９に基づいて、本発明の第７の実施の形態に係るインバートコンクリートの補強鉄筋保持方法を説明する。
図９に示すように、第７の実施の形態に係るインバートコンクリートの補強鉄筋保持方法は、防水シート１２上に、高さレベルを調整しながら、複数個の固定用コンクリート３６を所定間隔をあけて打設し、各固定用コンクリート３６の硬化後、各固定用コンクリート３６上に補強鉄筋１４を配置するようにした例である。
これにより、インバートコンクリートの補強鉄筋保持の作業性がさらに向上すると共に、保持具を使用しないのでコスト低下が図れる。
【００２３】
以上、本発明を図面に基づいて説明したが、本発明はこれらの実施の形態に限定されるものではなく、要旨を逸脱しない範囲での設計変更などがあっても本発明に含まれる。
【図面の簡単な説明】
【図１】本発明の第１の実施の形態に係るインバートコンクリートの補強鉄筋保持方法を適用したインバートコンクリートの補強鉄筋保持構造を示す要部拡大断面図である。
【図２】同インバートコンクリートの補強鉄筋保持構造の全体断面図である。
【図３】同保持具の拡大斜視図である。
【図４】本発明の第２の実施の形態に係るインバートコンクリートの補強鉄筋保持方法を適用したインバートコンクリートの補強鉄筋保持構造を示す要部拡大断面図である。
【図５】本発明の第３の実施の形態に係るインバートコンクリートの補強鉄筋保持方法を適用したインバートコンクリートの補強鉄筋保持構造を示す要部拡大断面図である。
【図６】本発明の第４の実施の形態に係るインバートコンクリートの補強鉄筋保持方法を適用したインバートコンクリートの補強鉄筋保持構造を示す要部拡大断面図である。
【図７】本発明の第５の実施の形態に係るインバートコンクリートの補強鉄筋保持方法を適用したインバートコンクリートの補強鉄筋保持構造を示す要部拡大断面図である。
【図８】本発明の第６の実施の形態に係るインバートコンクリートの補強鉄筋保持方法を適用したインバートコンクリートの補強鉄筋保持構造を示す要部拡大断面図である。
【図９】本発明の第７の実施の形態に係るインバートコンクリートの補強鉄筋保持方法を適用したインバートコンクリートの補強鉄筋保持構造を示す要部拡大断面図である。
【符号の説明】
１０  インバートコンクリートの補強鉄筋保持構造
１１  トンネル                      １１ａ  地盤面
１２  防水シート                    １３  保持具
１４  補強鉄筋                      １５  インバートコンクリート
１６  ベースプレート                １７  ナット
１８  ボルト                        １９  ハンドル棒
２０  高さレベル調整手段            ２１  下部保持具
２２  上部保持具                    ２２ａ  鉄筋
２２ｂ  補助筋                      ３０  固定用コンクリート
３１  固定用コンクリート            ３４  保持ブロック
３６  固定用コンクリート
【図１】
0003561059.tif 000002
【図２】
0003561059.tif 000003
【図３】
0003561059.tif 000004
【図４】
0003561059.tif 000005
【図５】
0003561059.tif 000006
【図６】
0003561059.tif 000007
【図７】
0003561059.tif 000008
【図８】
0003561059.tif 000009
【図９】
0003561059.tif 000010